【手続補正書】
【提出日】平成29年6月15日(2017.6.15)
【手続補正１】
【補正対象書類名】特許請求の範囲
【補正対象項目名】請求項２８
【補正方法】変更
【補正の内容】
【請求項２８】
前記マンノースが、非還元糖である、請求項２５に記載の方法。
【手続補正２】
【補正対象書類名】特許請求の範囲
【補正対象項目名】請求項３０
【補正方法】変更
【補正の内容】
【請求項３０】
前記水溶液が酸性である、請求項２２〜２９のいずれか一項に記載の方法。
【手続補正３】
【補正対象書類名】特許請求の範囲
【補正対象項目名】請求項３１
【補正方法】変更
【補正の内容】
【請求項３１】
前記アミノ化基材がアミノ化ビーズである、請求項２２〜３０のいずれか一項に記載の方法。
【手続補正４】
【補正対象書類名】特許請求の範囲
【補正対象項目名】請求項３２
【補正方法】変更
【補正の内容】
【請求項３２】
前記還元剤が、シアノ水素化ホウ素ナトリウム及び水素化ホウ素ナトリウムから選択されるメンバーである、請求項２２〜３１のいずれか一項に記載の方法。
【手続補正５】
【補正対象書類名】特許請求の範囲
【補正対象項目名】請求項３３
【補正方法】変更
【補正の内容】
【請求項３３】
前記方法が、反応性アルデヒド官能基を有するヘパリンを反応させる工程をさらに含む、請求項２２〜３２のいずれか一項に記載の方法。
【手続補正６】
【補正対象書類名】明細書
【補正対象項目名】０１３１
【補正方法】変更
【補正の内容】
【０１３１】
《実施例１３：マンノース修飾ポリエチレンビーズを使用した血液からのＫ．ニューモニエ（ＣＲＥ）の除去》
マンノース媒体約０.６グラムを１００ミクロンのエンドプレートと２．５ｍＬフィルターシリンジ（Ｍｏｂｉｃｏｌ）に充填した。血液中のカルバペネム耐性腸内細菌（ＣＲＥ）Ｋ．ニューモニエＡＴＣＣ ＢＡＡ−２１４６懸濁液２ｍＬを一晩培養することにより調製し、１．４０Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１０にリストする。
【表１０】
2016526416.tif 000001
【手続補正７】
【補正対象書類名】明細書
【補正対象項目名】０１３２
【補正方法】変更
【補正の内容】
【０１３２】
《実施例１４：マンノース修飾ポリエチレンビーズを使用した血液からのＫ．ニューモニエ（ＥＳＢＬ）の除去》
マンノース媒体約０.６グラムを１００ミクロンのエンドプレートと２．５ｍＬフィルターシリンジ（Ｍｏｂｉｃｏｌ）に充填した。血液中の基質特異性拡張型βラクタマーゼ（ＥＳＢＬ）Ｋ．ニューモニエＡＴＣＣ７００６０３懸濁液２ｍＬを一晩培養することにより調製し、２．８２Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１１にリストする。
【表１１】
2016526416.tif 000002
【手続補正８】
【補正対象書類名】明細書
【補正対象項目名】０１３３
【補正方法】変更
【補正の内容】
【０１３３】
《実施例１５：マンノース修飾ポリエチレンビーズを使用した血液からのＳ．ニューモニエの除去》
マンノース媒体約０.６グラムを１００ミクロンのエンドプレートと２．５ｍＬフィルターシリンジ（Ｍｏｂｉｃｏｌ）に充填した。血液中のＳ．ニューモニエＡＴＣＣ６３０１懸濁液２ｍＬを一晩培養することにより調製し、９．８０Ｅ＋０４の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１２にリストする。
【表１２】
2016526416.tif 000003
【手続補正９】
【補正対象書類名】明細書
【補正対象項目名】０１３４
【補正方法】変更
【補正の内容】
【０１３４】
《実施例１６：マンノース修飾ポリエチレンビーズを使用した血液からのＥ．フェカリスの除去》
マンノース媒体約０.６グラムを１００ミクロンのエンドプレートと２．５ｍＬフィルターシリンジ（Ｍｏｂｉｃｏｌ）に充填した。血液中のＥ．フェカリスＡＴＣＣ２９２１２懸濁液２ｍＬを一晩培養することにより調製し、６．４３Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１３にリストする。
【表１３】
2016526416.tif 000004
【手続補正１０】
【補正対象書類名】明細書
【補正対象項目名】０１３５
【補正方法】変更
【補正の内容】
【０１３５】
《実施例１７：マンノース修飾ポリエチレンビーズを使用した血液からのＥ．フェカリス（ＶＲＥ）の除去》
マンノース媒体約０.６グラムを１００ミクロンのエンドプレートと２．５ｍＬフィルターシリンジ（Ｍｏｂｉｃｏｌ）に充填した。血液中のバンコマイシン耐性Ｅ．フェカリス（ＶＲＥ）ＡＴＣＣ５１５７５懸濁液２ｍＬを一晩培養することにより調製し、６．１７Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１４にリストする。
【表１４】
2016526416.tif 000005
【手続補正１１】
【補正対象書類名】明細書
【補正対象項目名】０１３６
【補正方法】変更
【補正の内容】
【０１３６】
《実施例１８：マンノース修飾ポリエチレンビーズを使用した血液からのＥ．フェシウム（ＶＲＥ）の除去》
マンノース媒体約０.６グラムを１００ミクロンのエンドプレートと２．５ｍＬフィルターシリンジ（Ｍｏｂｉｃｏｌ）に充填した。血液中のＥ．フェシウムＡＴＣＣ５１５５９懸濁液２ｍＬを一晩培養することにより調製し、９．１７Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１５にリストする。
【表１５】
2016526416.tif 000006
【手続補正１２】
【補正対象書類名】明細書
【補正対象項目名】０１３７
【補正方法】変更
【補正の内容】
【０１３７】
《実施例１９：マンノース修飾ポリエチレンビーズを使用した血液からのＡ．バウマンニの除去》
マンノース媒体約０.６グラムを１００ミクロンのエンドプレートと２．５ｍＬフィルターシリンジ（Ｍｏｂｉｃｏｌ）に充填した。血液中のＡ．バウマンニＡＴＣＣ１９６０６懸濁液２ｍＬを一晩培養することにより調製し、１．８３Ｅ＋０５の濃度に希釈した。充填されたフィルターシリンジをＰＢＳ３ｍＬですすぎ、次に細菌懸濁液をシリンジに３回通した。標準の希釈及びプレーティング技術を使用してシリンジの三度目の通過の後に残存する細菌を数えた。試験をそれぞれの媒体で２又は３回繰り返した。結果を表１６にリストする。
【表１６】
2016526416.tif 000007